(57)【要約】  【課題】  受信した信号に応じて能動的通信の機能を作動または停止させることによって、操作性を向上させると共に電力を効率的に利用させることができる通信端末、通信機器、および通信制御プログラムを提供すること。  【解決手段】  第１の外部の装置２１０と通信を行う第１の通信手段１１０と、第２の外部の装置２２０と通信ができる通信可能状態および第２の外部の装置２２０と通信ができない通信不能状態を有し、通信可能状態で第２の外部の装置２２０と通信を行う第２の通信手段１３０と、第１の通信手段１１０が第１の外部の装置２１０から所定の信号を受信したとき、第２の通信手段１３０を通信可能状態および通信不能状態のいずれかに設定するよう制御する制御手段１２０とを備えた構成を有している。【選択図】  図１
2005057538.tif 000002
【特許請求の範囲】
【請求項１】
第１の外部の装置と通信を行う第１の通信手段と、
第２の外部の装置と通信ができる通信可能状態および前記第２の外部の装置と通信ができない通信不能状態を有し、前記通信可能状態で前記第２の外部の装置と通信を行う第２の通信手段と、
前記第１の通信手段が前記第１の外部の装置から所定の信号を受信したとき、前記第２の通信手段を前記通信可能状態および前記通信不能状態のいずれかに設定するよう制御する制御手段とを備えたことを特徴とする通信端末。
【請求項２】
前記第１の通信手段が前記第１の外部の装置から受信する所定の信号は、前記第２の通信手段を前記通信可能状態に設定する通信可能状態設定信号を含むことを特徴とする請求項１に記載の通信端末。
【請求項３】
前記通信端末は、さらに、前記第１の通信手段が前記第１の外部の装置から受信する所定の信号に応じて情報処理を行い、前記情報処理の結果に応じて前記第２の通信手段の通信状態を制御する通信状態制御信号を生成する適応制御信号生成手段を備え、前記制御手段は、前記適応制御信号生成手段が生成した通信状態制御信号に応じて前記第２の通信手段を前記通信可能状態に設定するように制御することを特徴とする請求項１に記載の通信端末。
【請求項４】
前記制御手段は、前記第２の通信手段が前記通信可能状態に設定されたときから一定時間経過した後、前記第２の通信手段を前記通信不能状態に設定するよう制御することを特徴とする請求項１に記載の通信端末。
【請求項５】
前記第１の通信手段は、前記第２の通信手段を前記通信不能状態に設定する通信不能状態設定信号を前記第１の外部の装置から受信し、前記制御手段は、前記第１の通信手段が前記通信不能状態設定信号を受信したときに前記第２の通信手段を前記通信不能状態に設定するよう制御することを特徴とする請求項１に記載の通信端末。
【請求項６】
前記通信端末は、さらに、前記第１の通信手段が前記第１の外部の装置から特定の信号を受信したとき、受信した前記特定の信号に応じて情報処理を行い、前記情報処理の結果に応じて前記第２の通信手段の通信状態を制御する通信状態制御信号を生成する適応制御信号生成手段を備え、前記制御手段は、前記適応制御信号生成手段が生成した通信状態制御信号に応じて前記第２の通信手段を前記通信不能状態に設定するよう制御することを特徴とする請求項１に記載の通信端末。
【請求項７】
第１の外部の装置と通信を行う第１の通信手段と、
外部の通信端末と通信を行う通信インタフェースと、
前記第１の通信手段が前記第１の外部の装置から信号を受信したとき、前記第１の外部の装置から受信した信号が予め決められた信号であるか否かを判断する判断手段とを備え、
前記通信インタフェースは、前記第１の通信手段によって受信された信号が前記予め決められた信号であると前記判断手段によって判断されたとき、前記外部の通信端末が有する第２の通信手段を通信可能な状態に設定するよう制御する通信可能設定信号を前記外部の通信端末に送信するようにしたことを特徴とする通信機器。
【請求項８】
第１の外部の装置と通信を行う第１の通信手段と、通信を行う第１の通信インタフェースとを備えた通信機器を、前記第１の通信インタフェースを介して通信可能に接続することができる通信端末であって、
前記第１の通信インタフェースと通信を行う第２の通信インタフェースと、
第２の外部の装置と通信ができる通信可能状態および前記第２の外部の装置と通信ができない通信不能状態を有し、前記通信可能状態で前記第２の外部の装置と通信を行う第２の通信手段と、
前記第１の外部の装置から前記第１の通信手段によって受信された所定の信号を、前記第１の通信インタフェース経由で前記第２の通信インタフェースが受信したとき、前記第２の通信手段を前記通信可能状態に設定するよう制御する制御手段とを備えたことを特徴とする通信端末。
【請求項９】
第１の外部の装置と通信を行う第１の通信手段と、
前記第１の通信手段が前記第１の外部の装置から受信した信号を外部の通信端末に送信すると共に、前記外部の通信端末からの信号を受信する通信インタフェースと、
第２の外部の装置と通信ができる通信可能状態および前記第２の外部の装置と通信ができない通信不能状態を有し、前記通信可能状態で前記第２の外部の装置と通信を行う第２の通信手段とを備え、
前記通信インタフェースが前記外部の通信端末から前記第２の通信手段を通信可能な状態に設定する通信可能設定信号を受信したとき、前記第２の通信手段は、前記通信可能な状態になるようにしたことを特徴とする通信機器。
【請求項１０】
第１の外部の装置と通信を行う第１の通信手段と、通信を行う第１の通信インタフェースと、第２の外部の装置と通信ができる通信可能状態および前記第２の外部の装置と通信ができない通信不能状態を有し、前記通信可能状態で前記第２の外部の装置と通信を行う第２の通信手段とを備えた通信機器を、前記第１の通信インタフェースを介して通信可能に接続することができる通信端末であって、
前記第１の通信インタフェースと通信を行う第２の通信インタフェースと、
前記第１の通信手段によって前記第１の外部の装置から受信された所定の信号を、前記第１の通信インタフェース経由で前記第２の通信インタフェースが受信したとき、前記第２の通信手段を前記通信可能状態に設定するように制御する通信可能状態設定制御信号を生成する制御信号生成手段とを備え、
前記第２の通信インタフェースは、前記制御信号生成手段が生成した前記通信可能状態設定制御信号を前記第１の通信インタフェースに送信するようにしたことを特徴とする通信端末。
【請求項１１】
第１の外部の装置と通信を行う第１の通信手段と、第２の外部の装置と通信ができる通信可能状態および前記第２の外部の装置と通信ができない通信不能状態を有し、前記通信可能状態で前記第２の外部の装置と通信を行う第２の通信手段とを備えた通信端末を制御するプログラムであって、
コンピュータに、
前記第１の通信手段によって前記第１の外部の装置から受信された信号が所定の信号を含むか否かを判断する判断ステップと、
前記判断ステップで、前記第１の通信手段によって前記第１の外部の装置から受信された信号が前記所定の信号を含むと判断されたとき、前記第２の通信手段を前記通信可能状態および前記通信不能状態のいずれかに設定するように制御する制御ステップとを実行させることを特徴とする通信制御プログラム。
【発明の詳細な説明】
【技術分野】
【０００１】
本発明は、通信端末、通信機器、および通信制御プログラムに関し、具体的には、携帯電話やＩＣカード等の通信機能を有する装置またはそれらの組み合わせであって、２つ以上の通信手段を有する通信端末および通信機器、並びにこれらの通信端末および通信機器を制御する通信制御プログラムに関する。
【背景技術】
【０００２】
近年、携帯電話で代表されるように、通信手段を有すると共に電池を着脱可能に内蔵する通信端末が広く普及した。これらの通信端末は、内蔵する電池から電力の供給を受けて通信等の動作が可能になり、電源が供給されている状態で受信を待ち、送信指示の操作がなされたときに送信するようになっている（以下、「能動的通信」という。）。その一方、通信端末を使用しないときに電池からの電力の供給を停止できるように、電源をオン／オフする電源スイッチが設けられている。
【０００３】
一方、外部の装置から電磁波を介して電力の供給を受けて作動する、いわゆる「非接触ＩＣカード」等の通信機器も実用化されている（以下、電力の供給を受けてなされる通信を「受動的通信」という。）。改札口を通過する際に改札機にかざす定期券等がその一例である。これらの通信機器は、電磁波の照射を受けるという外部の装置からの作用によって作動を開始し、作動のために電池を内蔵しなくても済むようになっている。そして、これらの通信機器は、電磁波の照射を受けて通信を行うと共に所定の情報処理も行うようになっている。さらに最近では、電池を内蔵して電池からの電力の供給を受けて通信を行う通信手段を付加した通信機器も考えられている。
【０００４】
さらに、いわゆるＩｒＤＡ（Ｉｎｆｒａｒｅｄ  Ｄａｔａ  Ａｓｓｏｃｉａｔｉｏｎ）等の赤外線を利用した通信や、使用に世界的に免許の要らない周波数帯の電波を利用したＢｌｕｅｔｏｏｔｈ等の通信等も実用化されてきた。これらは、ケーブルやコネクタ等を介した接続無しに情報の送受を可能とし、送信ボタン等を操作して情報を送信するようになっている（例えば、非特許文献１参照。）。そして、送信に先立ち、通信方式を選択する操作、通信機能（アプリケーションソフト）を選択する操作、通信相手を選択する等の操作が一般に行われる。
【非特許文献１】ＺＤＮｅｔ  ＪＡＰＡＮ  社、「バイオと携帯電話、Ｂｌｕｅｔｏｏｔｈでつないでみました（１／２）」、[ｏｎｌｉｎｅ]、２００１年６月４日、[２００３年７月９日検索]、インターネット＜ｈｔｔｐ：／／ｗｗｗ．ｚｄｎｅｔ．ｃｏ．ｊｐ／ｍｏｂｉｌｅ／ｎｅｗｓ／０１０６／０４ｂｔ２＿ｍ．ｈｔｍｌ＞
【発明の開示】
【発明が解決しようとする課題】
【０００５】
しかし、このような従来の通信端末や通信機器では、能動的通信の機能を作動しようとする場合、電源のオンオフ、通信方式の選択、通信機能の選択、通信相手の選択等の操作や送信ボタン等の操作を行わなければならないという操作性の問題があった。これらの操作は、子供やお年寄りその他の通信装置に不慣れな人達にとっては通信装置の利用上の障害にもなっていた。
【０００６】
また、電源スイッチをオンにすると、通信を行うか否かにかかわらず能動的通信の機能を作動するための電力供給がなされ、電力が効率的に利用されないという問題があった。そして、電力の効率的な利用のために電源を確認し、こまめにオン／オフすることは煩わしく、操作性上も問題であった。
【０００７】
本発明はこのような問題を解決するためになされたもので、受信した信号に応じて能動的通信の機能を作動または停止させることによって、操作性を向上させると共に電力を効率的に利用させることができる通信端末、通信機器、および通信制御プログラムを提供するものである。
【課題を解決するための手段】
【０００８】
本発明の通信端末は、第１の外部の装置と通信を行う第１の通信手段と、第２の外部の装置と通信ができる通信可能状態および前記第２の外部の装置と通信ができない通信不能状態を有し、前記通信可能状態で前記第２の外部の装置と通信を行う第２の通信手段と、前記第１の通信手段が前記第１の外部の装置から所定の信号を受信したとき、前記第２の通信手段を前記通信可能状態および前記通信不能状態のいずれかに設定するよう制御する制御手段とを備えた構成を有している。
【０００９】
この構成により、外部の装置から受信した信号に応じて第２の通信手段を通信可能状態および通信不能状態のいずれかに設定するよう制御する制御手段を設けたため、受信した信号に応じて能動的通信の機能を作動または停止させること、すなわち、必要なときに例えば電源の供給がなされる等により能動的通信の機能を作動または停止させることができ、操作性を向上させると共に電力を効率的に利用させることができる通信端末を実現することができる。
【００１０】
また、本発明の通信端末は、前記第１の通信手段が前記第１の外部の装置から受信する所定の信号が、前記第２の通信手段を前記通信可能状態に設定する通信可能状態設定信号を含む構成を有している。
【００１１】
この構成により、外部の装置から受信した通信可能状態設定信号に応じて制御手段が第２の通信手段を通信可能状態に設定するため、簡易な構成で制御に必要な判断を行うことができると共に、操作性を向上させかつ電力を効率的に利用させることができる通信端末を実現することができる。
【００１２】
また、本発明の通信端末は、さらに、前記第１の通信手段が前記第１の外部の装置から受信する所定の信号に応じて情報処理を行い、前記情報処理の結果に応じて前記第２の通信手段の通信状態を制御する通信状態制御信号を生成する適応制御信号生成手段を備え、前記制御手段は、前記適応制御信号生成手段が生成した通信状態制御信号に応じて前記第２の通信手段を前記通信可能状態に設定するように制御する構成を有している。
【００１３】
この構成により、外部の装置から受信する信号に応じて情報処理を行い、情報処理の結果に応じて第２の通信手段の通信状態を制御する通信状態制御信号を生成する適応制御信号生成手段を設けたため、情報処理後に通信が必要になる場合でも能動的通信の機能を作動させることが可能となり、操作性を向上させると共に電力を効率的に利用させることができる通信端末を実現することができる。
【００１４】
また、本発明の通信端末は、前記制御手段が、前記第２の通信手段が前記通信可能状態に設定されたときから一定時間経過した後、前記第２の通信手段を前記通信不能状態に設定するよう制御する構成を有している。
【００１５】
この構成により、第２の通信手段が通信可能状態に設定されたときから一定時間経過した後、第２の通信手段を通信不能状態に設定するよう制御するため、新たに信号を受信することなく不要なときに例えば電源がオフされる等により能動的通信の機能を停止させることが可能となり、操作性を向上させると共に電力を効率的に利用させることができる通信端末を実現することができる。
【００１６】
また、本発明の通信端末は、前記第１の通信手段が、前記第２の通信手段を前記通信不能状態に設定する通信不能状態設定信号を前記第１の外部の装置から受信し、前記制御手段は、前記第１の通信手段が前記通信不能状態設定信号を受信したときに前記第２の通信手段を前記通信不能状態に設定するよう制御する構成を有している。
【００１７】
この構成により、外部の装置から受信した通信不能状態設定信号に応じて制御手段が第２の通信手段を通信不能状態に設定するため、簡易な構成で制御に必要な判断を行うことができると共に、操作性を向上させかつ電力を効率的に利用させることができる通信端末を実現することができる。
【００１８】
また、本発明の通信端末は、さらに、前記第１の通信手段が前記第１の外部の装置から特定の信号を受信したとき、受信した前記特定の信号に応じて情報処理を行い、前記情報処理の結果に応じて前記第２の通信手段の通信状態を制御する通信状態制御信号を生成する適応制御信号生成手段を備え、前記制御手段は、前記適応制御信号生成手段が生成した通信状態制御信号に応じて前記第２の通信手段を前記通信不能状態に設定するよう制御する構成を有している。
【００１９】
この構成により、外部の装置から受信する信号に応じて情報処理を行い、情報処理の結果に応じて第２の通信手段の通信状態を制御する通信状態制御信号を生成する適応制御信号生成手段を設けたため、情報処理後に通信が不要になった場合に例えば電源がオフされる等により能動的通信の機能を停止させることが可能となり、操作性を向上させると共に電力を効率的に利用させることができる通信端末を実現することができる。
【００２０】
また、本発明の通信機器は、第１の外部の装置と通信を行う第１の通信手段と、外部の通信端末と通信を行う通信インタフェースと、前記第１の通信手段が前記第１の外部の装置から信号を受信したとき、前記第１の外部の装置から受信した信号が予め決められた信号であるか否かを判断する判断手段とを備え、前記通信インタフェースは、前記第１の通信手段によって受信された信号が前記予め決められた信号であると前記判断手段によって判断されたとき、前記外部の通信端末が有する第２の通信手段を通信可能な状態に設定するよう制御する通信可能設定信号を前記外部の通信端末に送信するようにした構成を有している。
【００２１】
この構成により、通信可能に接続される通信端末の第２の通信手段を、外部の装置から受信する信号に応じて通信可能状態に設定するよう制御するため、通信装置同士を組み合わせた場合でも受信した信号に応じて能動的通信の機能を作動させること、すなわち、必要なときに例えば電源の供給がなされる等により能動的通信の機能を作動させることができ、操作性を向上させると共に電力を効率的に利用させることができる通信機器を実現することができる。
【００２２】
また、本発明の通信端末は、第１の外部の装置と通信を行う第１の通信手段と、通信を行う第１の通信インタフェースとを備えた通信機器を、前記第１の通信インタフェースを介して通信可能に接続することができる通信端末であって、前記第１の通信インタフェースと通信を行う第２の通信インタフェースと、第２の外部の装置と通信ができる通信可能状態および前記第２の外部の装置と通信ができない通信不能状態を有し、前記通信可能状態で前記第２の外部の装置と通信を行う第２の通信手段と、前記第１の外部の装置から前記第１の通信手段によって受信された所定の信号を、前記第１の通信インタフェース経由で前記第２の通信インタフェースが受信したとき、前記第２の通信手段を前記通信可能状態に設定するよう制御する制御手段とを備えた構成を有している。
【００２３】
この構成により、通信可能に接続された通信機器が外部の装置から受信した信号に応じて、第２の通信手段を通信可能状態に設定するよう制御するため、通信装置同士を組み合わせた場合でも受信した信号に応じて能動的通信の機能を作動させること、すなわち、必要なときに例えば電源の供給がなされる等により能動的通信の機能を作動させることができ、操作性を向上させると共に電力を効率的に利用させることができる通信端末を実現することができる。
【００２４】
また、本発明の通信機器は、第１の外部の装置と通信を行う第１の通信手段と、前記第１の通信手段が前記第１の外部の装置から受信した信号を外部の通信端末に送信すると共に、前記外部の通信端末からの信号を受信する通信インタフェースと、第２の外部の装置と通信ができる通信可能状態および前記第２の外部の装置と通信ができない通信不能状態を有し、前記通信可能状態で前記第２の外部の装置と通信を行う第２の通信手段とを備え、前記通信インタフェースが前記外部の通信端末から前記第２の通信手段を通信可能な状態に設定する通信可能設定信号を受信したとき、前記第２の通信手段は、前記通信可能な状態になるようにした構成を有している。
【００２５】
この構成により、外部の装置から受信する信号に応じて通信端末が生成した通信可能設定信号を受信し、受信した通信可能設定信号に応じて第２の通信手段が通信可能状態となるようにしたため、能動的通信の機能を有する通信機器の通信機能を通信端末から制御でき、通信装置同士を組み合わせた場合でも受信した信号に応じて能動的通信の機能を作動させること、すなわち、必要なときに例えば電源の供給がなされる等により能動的通信の機能を作動させることができ、操作性を向上させると共に電力を効率的に利用させることができる通信機器を実現することができる。
【００２６】
また、本発明の通信端末は、第１の外部の装置と通信を行う第１の通信手段と、通信を行う第１の通信インタフェースと、第２の外部の装置と通信ができる通信可能状態および前記第２の外部の装置と通信ができない通信不能状態を有し、前記通信可能状態で前記第２の外部の装置と通信を行う第２の通信手段とを備えた通信機器を、前記第１の通信インタフェースを介して通信可能に接続することができる通信端末であって、前記第１の通信インタフェースと通信を行う第２の通信インタフェースと、前記第１の通信手段によって前記第１の外部の装置から受信された所定の信号を、前記第１の通信インタフェース経由で前記第２の通信インタフェースが受信したとき、前記第２の通信手段を前記通信可能状態に設定するように制御する通信可能状態設定制御信号を生成する制御信号生成手段とを備え、前記第２の通信インタフェースは、前記制御信号生成手段が生成した前記通信可能状態設定制御信号を前記第１の通信インタフェースに送信するようにした構成を有している。
【００２７】
この構成により、通信可能に接続された通信機器が外部の装置から受信した信号に応じて、この通信機器の第２の通信手段を通信可能状態に設定するように制御する通信可能状態設定制御信号を送信するよう制御するため、通信装置同士を組み合わせた場合でも受信した信号に応じて能動的通信の機能を作動させること、すなわち、必要なときに例えば電源の供給がなされる等により能動的通信の機能を作動させることができ、操作性を向上させると共に電力を効率的に利用させることができる通信端末を実現することができる。
【００２８】
また、本発明の通信制御プログラムは、第１の外部の装置と通信を行う第１の通信手段と、第２の外部の装置と通信ができる通信可能状態および前記第２の外部の装置と通信ができない通信不能状態を有し、前記通信可能状態で前記第２の外部の装置と通信を行う第２の通信手段とを備えた通信端末を制御するプログラムであって、コンピュータに、前記第１の通信手段によって前記第１の外部の装置から受信された信号が所定の信号を含むか否かを判断する判断ステップと、前記判断ステップで、前記第１の通信手段によって前記第１の外部の装置から受信された信号が前記所定の信号を含むと判断されたとき、前記第２の通信手段を前記通信可能状態および前記通信不能状態のいずれかに設定するように制御する制御ステップとを実行させる構成を有している。
【００２９】
この構成により、外部の装置から受信した信号に応じて第２の通信手段を通信可能状態および通信不能状態のいずれかに設定するよう制御するようにしたため、受信した信号に応じて能動的通信の機能を作動または停止させること、すなわち、必要なときに例えば電源の供給がなされる等により能動的通信の機能を作動または停止させることができ、操作性を向上させると共に電力を効率的に利用させることができる通信制御プログラムを実現することができる。
【発明の効果】
【００３０】
以上説明したように、本発明は、外部の装置から受信した信号に応じて第２の通信手段を通信可能状態および通信不能状態のいずれかに設定するよう制御するようにしたため、受信した信号に応じて能動的通信の機能を作動または停止させること、すなわち、必要なときに例えば電源の供給がなされる等により能動的通信の機能を作動または停止させることができ、操作性を向上させると共に電力を効率的に利用させることができる通信端末、通信機器、および通信制御プログラムを実現することができる。
【発明を実施するための最良の形態】
【００３１】
以下、本発明の実施の形態について、図面を用いて説明する。
【００３２】
（第１の実施の形態）
図１は、本発明の第１の実施の形態に係る通信端末のブロック構成を示す図である。図１において、通信端末１００は、第１の外部の装置２１０と通信する第１の通信手段１１０、第２の外部の装置２２０と通信する第２の通信手段１３０、および第１の通信手段１１０が第１の外部の装置２１０から受信した信号（以下、単に「受信信号」という。）に応じて第２の通信手段１３０を制御する制御手段１２０を含むように構成される。
【００３３】
ここで、第１の外部の装置２１０は通信機能を有するものであるが、この通信機能はいわゆる非接触ＩＣカードと通信するリーダライタとしての機能であってもよい。この場合、第１の通信手段１１０は、第１の外部の装置２１０から電磁波を介して電力の供給を受けて通信機能が働き（以下、電磁波を介して電力の供給を受けてなされる通信を「受動的通信」という。）、第１の外部の装置２１０と通信を行って信号を受信し、受信した信号を制御手段１２０に出力するように構成される。言うまでもなく、第１の通信手段１１０は、内蔵する電池等から電力の供給を受けて通信を行う（以下、「能動的通信」という。）のでもよい。また、各通信は、赤外線や可視光を介して行われるのでもよい。
【００３４】
図２は、本発明の第１の実施の形態に係る通信端末１００の具体的構成の一例を示す図である。図２に示すように、制御手段１２０は、データ処理や制御を行うＣＰＵ（Ｃｅｎｔｒａｌ  Ｐｒｏｃｅｓｓｉｎｇ  Ｕｎｉｔ）１２１、ＯＳ（Ｏｐｅｒａｔｉｎｇ  Ｓｙｓｔｅｍ）やその他のプログラムおよび制御用のデータ等を記憶するＲＯＭ（Ｒｅａｄ  Ｏｎｌｙ  Ｍｅｍｏｒｙ）１２２、ＣＰＵ１２１で用いるプログラムやデータ等を記憶するＲＡＭ（Ｒａｎｄｏｍ  Ａｃｃｅｓｓ  Ｍｅｍｏｒｙ）１２３、所定のデータを不揮発かつ書替可能に記憶するＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）１２４、および第２の通信手段１３０に供給する電力のオン／オフを切り替えるオン／オフ手段１２５を含むように構成されるのでもよい。
【００３５】
第１の通信手段１１０は、図２に示すようにアンテナと高周波処理手段１１１（図２では、「ＲＦ処理手段」として示す。）とを含むように構成される。高周波処理手段は、受信した信号を少なくても復調して制御手段１２０のＣＰＵ１２１に出力するようになっている。なお、第１の通信手段１１０が受動的通信を行う場合は、受信した電波を介して得られる電力を受動的通信用の駆動電力に変換する処理（以下、単に「受動的通信用電力変換処理」という。）がなされる。
【００３６】
通信端末１００は、また図２に示すように、通信端末１００を操作やデータを入力するための操作部１０１と、操作部１０１から入力された情報、ＣＰＵ１２１の処理で得られた情報、ＥＥＰＲＯＭ１２４に記憶された情報、第２の通信手段１３０を介して第２の外部の装置２２０から受信した情報、その他の情報を表示する表示部１０２を含むのでもよい。
【００３７】
ここで、ＣＰＵ１２１は、第１の通信手段１１０が第１の外部の装置２１０から受信した信号に応じてオン／オフ手段１２５を制御して、第２の通信手段１３０に供給する電力のオン／オフを切り替えさせる処理を行うとともに、第２の通信手段１３０を制御して第２の外部の装置２２０とのセションを確立させ又は終了させる等の制御を行うようになっている。なお、ＣＰＵ１２１は、第２の通信手段１３０を制御して第２の外部の装置２２０が通信を許可された装置か否かの照合を行い、認証を得るようにさせるのでもよい。
【００３８】
ＣＰＵ１２１が行う制御は、第１の通信手段１１０が第１の外部の装置２１０から受信した信号に応じて行われ、この信号は、第２の通信手段１３０を通信可能な状態（以下、単に「通信可能状態」という。）に設定することを指示する通信可能状態設定信号であってもよい。同様に、第１の通信手段１１０が第１の外部の装置２１０から受信する信号は、第２の通信手段１３０を通信ができない状態（以下、単に「通信不能状態」という。）に設定することを指示する通信不能状態設定信号であってもよい。そして、通信可能状態設定信号および通信不能状態設定信号は、単なるトリガでも、所定のプロトコルに従った信号であってもよい。又、第１の通信手段１１０が第１の外部の装置２１０から受信する信号は、データ、プログラム、データ付プログラム、その他の情報を内容とする信号でもよいものとし、これらの信号を受信する場合については、後述する。
【００３９】
オン／オフ手段１２５には、第２の通信手段１３０に供給する電力が入力され、オン／オフ手段１２５は、ＣＰＵ１２１が制御のために出力する制御信号に応じて第２の通信手段１３０に供給する電力のオン／オフを行うようになっている。
【００４０】
第２の通信手段１３０は、第２の外部の装置２２０と通信可能な通信可能状態と通信ができない通信不能状態とを有し、通信可能状態への設定または通信不能状態への設定は、制御手段１２０の制御の下に行われるようになっている。そして、通信可能状態は、セションを確立しなくてもよい通信の場合は、オン／オフ手段１２５を介して電力が供給されたときの状態をいい、セションを確立して行う通信の場合は、オン／オフ手段１２５を介して電力が供給され、さらに第２の外部の装置２２０とセションが確立したときの状態をいう。なお、上記の認証を得るようにさせる構成の場合は、認証が得られたときの状態をいうものとする。したがって、上記の通信可能状態は、セションを確立して行う通信の場合は、第２の通信手段１３０に電源が供給されただけでは通信可能状態とはならず、上記の認証を得るようにさせる構成の場合は、セションが確立されただけでは通信可能状態とはならない。
【００４１】
これに対して、上記の通信不能状態は、セションを確立して行う通信の場合は、オン／オフ手段１２５を介した電力の供給またはセションの確立のいずれか又は両方がないときの状態をいう。また、セションを確立しなくてもよい通信の場合は、オン／オフ手段１２５を介した電力の供給がないときの状態をいう。さらに、認証を得るようにさせる構成の場合は、この認証が得られない状態も通信不能状態となる。
【００４２】
以下、本発明の第１の実施の形態に係る通信端末１００の動作について説明する。図３〜図５は、本発明の第１の実施の形態に係る通信端末１００の動作を説明するためのシーケンス図である。以下では、予め通信を行うべき特定の第２の外部の装置２２０があり、第２の外部の装置２２０を第２の通信手段１３０が認証する構成の場合を例に説明する。
【００４３】
まず、第１の外部の装置２１０によって送信された信号は、第１の通信手段１１０によって受信される（Ｓ３０１）。ここで、第１の通信手段１１０が受動的通信を行う場合は、上記の受動的通信用電力変換処理がなされ、この処理と並行してステップＳ３０１での処理がなされる。いうまでもなく、第１の通信手段１１０が能動的通信を行う場合は、ステップＳ３０１での処理だけでよい。
【００４４】
ステップＳ３０１で第１の通信手段１１０が信号を受信したら、受信信号は、第１の通信手段１１０によって制御手段１２０に出力される（Ｓ３０２）。ここで、第１の通信手段１１０が受動的通信を行う場合は、上記の受動的通信用電力変換処理と並行してステップＳ３０２での処理がなされる。いうまでもなく、第１の通信手段１１０が能動的通信を行う場合は、ステップＳ３０２での処理だけでよい。
【００４５】
第１の通信手段１１０によって受信信号が制御手段１２０に出力されたら、受信信号に応じていかなる制御や情報処理が必要になるかが制御手段１２０によって判定される（Ｓ３０３）。ここで、ステップＳ３０３でなされる判定の結果には、第２の通信手段１３０を通信可能状態に設定するように制御することの他に、通信不能状態に設定するように制御すること、何も制御しないこと、何らかの情報処理を行うこと等が含まれるのでもよい。図３は、判定結果が、第２の通信手段１３０を通信可能状態に設定するように制御すべき内容である場合における動作の一例を示すシーケンス図である。
【００４６】
ステップＳ３０３での判定結果が、第２の通信手段１３０を通信可能状態に設定するように制御すべき内容である場合は、以下の処理がなされる。
【００４７】
まず、第２の通信手段１３０に電力を供給するようにオン／オフ手段１２５が制御される（以下、「起動処理」という。Ｓ３０４）。なお、この起動処理は、制御手段１２０と第２の通信手段１３０との間で通信可能状態を設定させるための信号の送受信を開始させる処理であるものとし、セションを確立しなくてもよい通信の場合は、この処理によって第２の通信手段１３０が通信可能状態に設定されることになり、第２の外部の装置２２０と通信可能になる。
【００４８】
ステップＳ３０４で第２の通信手段１３０に電力が供給され、制御手段１２０と第２の通信手段１３０との間の信号の送受信が可能となったら、第２の通信手段１３０に対して第２の外部の装置２２０とのセションを確立させる命令（以下、単に「セション確立命令」という。）が制御手段１２０によって出力される（Ｓ３０５）。
【００４９】
ステップＳ３０５でセションの確立命令が第２の通信手段１３０に出力されたら、第２の外部の装置２２０とセション確立（セションを確立すること。）のための通信が第２の通信手段１３０によってなされる（Ｓ３０６）。セション確立のための通信は、言うまでもなく第２の通信手段１３０と第２の外部の装置２２０との間の複数ステップにわたる処理であるが、説明の都合上、１つのステップで簡略して述べると共に、これらは公知であり、その説明を省略する。
【００５０】
ステップＳ３０６で第２の通信手段１３０と第２の外部の装置２２０とのセションが確立されたら、セションが確立されたことを内容とする応答が第２の通信手段１３０によって制御手段１２０に出力される（Ｓ３０７）。
【００５１】
ステップＳ３０７で第２の通信手段１３０から出力された応答が制御手段１２０に入力されたら、第２の外部の装置２２０と予め登録された通信対象の装置（以下、単に「登録済装置」という。）との照合を行って登録済装置として認証するか否かの判断を行わせる命令（以下、単に「認証命令」という。）が制御手段１２０によって第２の通信手段１３０に出力される（Ｓ３０８）。
【００５２】
ステップＳ３０８で認証命令が第２の通信手段１３０に入力されたら、第２の外部の装置２２０と登録済装置との照合に必要な情報（以下、「照合情報」という。）を得るための通信が第２の通信手段１３０によってなされ、この通信で得られた照合情報に基づいて上記の認証が第２の通信手段１３０によって行われる（Ｓ３０９）。照合情報としては、例えば、パスワードや第２の外部の装置２２０の識別情報とがあり、照合情報を得るための通信は、言うまでもなく第２の通信手段１３０と第２の外部の装置２２０との間の複数ステップにわたる処理であるが、説明の都合上、１つのステップで簡略して説明した。認証処理は、公開鍵暗号化方式を用いて、いわゆる「チャレンジ＆レスポンス」による認証を行う処理であってもよい。
【００５３】
ステップＳ３０９で第２の外部の装置２２０が登録済装置と認証されたら、登録済装置と認証されたことを内容とする応答が第２の通信手段１３０によって制御手段１２０に出力される（Ｓ３１０）。ステップＳ３１０で認証されると第２の通信手段１３０と第２の外部の装置２２０との通信が可能となる。一方、認証されないと、第２の通信手段１３０と第２の外部の装置２２０との通信ができないこととなり、その後、制御手段１２０が第２の通信手段１３０に対して後述するセションを終了したり、さらに電力の供給を切断するように制御したりするのでもよい。
【００５４】
一方、ステップＳ３０３での判定結果が、第２の通信手段１３０を通信不能状態に設定するように制御すべき内容である場合は、以下の処理がなされる。図４は、判定結果が、第２の通信手段１３０を通信不能状態に設定するように制御すべき内容である場合における動作の一例を示すシーケンス図である。
【００５５】
まず、ステップＳ３０６で第２の通信手段１３０によって確立されたセションを終了すべき命令（以下、単に「セション終了命令」という。）が制御手段１２０によって第２の通信手段１３０に出力される（Ｓ４２１）。
【００５６】
ステップＳ４２１でセション終了命令が第２の通信手段１３０に出力されたら、第２の外部の装置２２０とセションを終了するための通信が第２の通信手段１３０によってなされる（Ｓ４２２）。セション終了のための通信は、言うまでもなく第２の通信手段１３０と第２の外部の装置２２０との間の複数ステップにわたる処理であるが、説明の都合上、１つのステップで簡略して述べると共に、これらは公知であり、その説明を省略する。
【００５７】
ステップＳ４２２で第２の通信手段１３０と第２の外部の装置２２０とのセションが終了したら、セションを終了したことを内容とする応答が第２の通信手段１３０によって制御手段１２０に出力される（Ｓ４２３）。
【００５８】
ステップＳ４２３でセションが終了したことを内容とする応答が制御手段１２０に出力されると、第２の通信手段１３０に供給する電力を遮断させるようにオン／オフ手段１２５が制御手段１２０によって制御される（以下、「停止処理」という。Ｓ４２４）。この停止処理によって、制御手段１２０と第２の通信手段１３０との間の信号の送受信は、停止されることになる。
【００５９】
なお、第２の通信手段１３０を通信不能状態に設定する制御として、以下に示すように行うのでもよい。図５は、上記のステップＳ３１０で認証がなされたことを内容とする応答を制御手段１２０が受けた後に、第２の通信手段１３０を通信不能状態に設定する制御の一例を示すシーケンス図である。
【００６０】
ステップＳ３０９で認証が得られ、その応答がステップＳ３１０で第２の通信手段１３０から制御手段１２０に出力されたら、応答を受けた時からの経過時間の計測が制御手段１２０によってなされ、経過時間が予め設定された時間（以下、「設定経過時間」という。）になるのを検出する（Ｓ５１１）。ここで、経過時間の計測は、例えば、ＣＰＵ１２１のクロックを用いて行うのでも、その他の方法で行うのでもよい。
【００６１】
応答を受けた後の経過時間が設定経過時間になったことがステップＳ５１１で制御手段１２０によって検出されたら、上記のステップＳ４２１〜Ｓ４２４での処理（セションを終了し、第２の通信手段１３０に供給する電力を遮断する処理）がなされる。
【００６２】
以上説明したように、本発明の第１の実施の形態に係る通信端末は、外部の装置から受信した信号に応じて第２の通信手段を通信可能状態および通信不能状態のいずれかに設定するよう制御する制御手段を設けたため、受信した信号に応じて能動的通信の機能を作動または停止させることが可能となり、操作性を向上させると共に電力を効率的に利用させることができる。例えば、内蔵電池から電力の供給を受けて通信を行う携帯電話機等の携帯通信端末では、必要なときに通信手段に電力が供給されることになり、通信が不要なときには電力が供給されないため、内蔵電池の寿命を延長させることができ、きわめて有効である。また、通信端末のユーザがサービスを利用したいと思ったときに、通信端末（例えば、携帯電話機）を上記の外部の装置（例えば、改札機）にかざす等の平易な操作を行って外部の装置から信号を受信するだけでサービス利用のための通信が可能となる。また、サービスを受けるための操作の回数を少なくできたり、直感的な操作で済むようにすることができたり、煩雑な操作なしにサービスを受けることなどができる。
【００６３】
また、外部の装置から受信した通信可能状態設定信号に応じて制御手段が第２の通信手段を通信可能状態に設定し、または、外部の装置から受信した通信不能状態設定信号に応じて制御手段が第２の通信手段を通信不能状態に設定するため、簡易な構成で制御に必要な判断を行うことができると共に、操作性を向上させかつ電力を効率的に利用させることができる。
【００６４】
また、第２の通信手段が通信可能状態に設定されたときから一定時間経過した後、第２の通信手段を通信不能状態に設定するよう制御するため、新たに信号を受信することなく能動的通信の機能を停止させることが可能となり、操作性を向上させると共に電力を効率的に利用させることができる。
【００６５】
また、上記で説明した通信端末の制御動作を実現するプログラムを用いても同様の効果を得ることができる。すなわち、上記の第１の通信手段と、第２の通信手段とを備えた通信端末を制御するプログラムであって、コンピュータに、第１の通信手段によって第１の外部の装置から受信された信号が所定の信号を含むか否かを判断する判断ステップと、この判断ステップで、第１の通信手段によって第１の外部の装置から受信された信号が所定の信号を含むと判断されたとき、第２の通信手段を通信可能状態および通信不能状態のいずれかに設定するように制御する制御ステップとを実行させる通信制御プログラムを用いても同様の効果が得られる。
【００６６】
（第２の実施の形態）
図６は、本発明の第２の実施の形態に係る通信端末のブロック構成を示す図である。図６において、本発明の第２の実施の形態に係る通信端末６００は、本発明の第１の実施の形態に係る通信端末１００に、適応制御信号生成手段６２１を付加したように構成される。本発明の第２の実施の形態では、第１の通信手段１１０が第１の外部の装置２１０から受信する信号は、データ、プログラム、データ付プログラム、その他の情報を内容とする信号であって、この信号を受信した後に所定の情報処理を行うように構成された通信端末について説明する。
【００６７】
ここで、本発明の第２の実施の形態に係る通信端末６００の具体的構成は、本発明の第１の実施の形態に係る通信端末１００の具体的構成と同様に、図２に示すように構成されるのでもよい。すなわち、後述する適応制御信号生成手段６２１の動作をＣＰＵ１２１、ＲＯＭ１２２、およびＲＡＭ１２３等によって実現するのでもよい。
【００６８】
適応制御信号生成手段６２１には、第１の通信手段１１０が第１の外部の装置２１０から受信した信号が入力され、適応制御信号生成手段６２１は、この受信信号が予め決められた信号の場合、この信号について予め決められた情報処理を行い、情報処理の結果に応じて第２の通信手段１３０の通信状態を制御する通信状態制御信号を生成するようになっている。
【００６９】
具体的には、以下のように動作するのでもよい。第１の通信手段１１０が複数の数値データを受信したとき、適応制御信号生成手段６２１は、数値データの平均値を算出する情報処理を行い、この情報処理で算出された平均値の情報を第２の外部の装置２２０に送信するために第２の通信手段１３０を通信可能状態に設定するように制御する通信状態制御信号（以下、「通信オン信号」という。）を生成し、制御手段１２０に出力する。この通信オン信号が出力されて、制御手段１２０は、通信オン信号に応じて第２の通信手段１３０を通信可能状態に設定する。第２の通信手段１３０が通信可能状態に設定されたら、適応制御信号生成手段６２１は、制御手段１２０および第２の通信手段１３０を介して第２の外部の装置２２０に上記の情報処理で算出された平均値の情報を第２の外部の装置２２０に送信する。平均値の情報を第２の外部の装置２２０に送信する処理が完了したら、適応制御信号生成手段６２１は、第２の通信手段１３０を通信不能状態に設定するように制御する通信状態制御信号（以下、「通信オフ信号」という。）を生成し、制御手段１２０に出力する。この通信オフ信号が入力されて、制御手段１２０は、第２の通信手段１３０を通信不能状態に設定するように制御する。
【００７０】
また、第１の通信手段１１０がデータを内容とする信号を受信し、適応制御信号生成手段６２１が受信したデータを圧縮する処理を行い、第２の通信手段１３０を介して第２の外部の装置２２０に圧縮したデータを送信するのでもよい。さらに、予め決められた信号が入力されたら、これに対応するメッセージを第２の外部の装置２２０に送信するのでもよい。すなわち、適応制御信号生成手段６２１は、何らかの予め決められた信号が入力されたら、入力された信号に応じて情報処理を行い、その結果に応じて通信状態を制御させる信号を生成するようになっている。
【００７１】
以下、本発明の第２の実施の形態に係る通信端末６００の動作について説明する。図７は、本発明の第２の実施の形態に係る通信端末６００の動作を説明するためのシーケンス図である。以下では、予め通信を行うべき特定の第２の外部の装置２２０があり、第２の外部の装置２２０を第２の通信手段１３０が認証する構成の場合を例に説明する。また、図７に示す各ステップのうち、本発明の第１の実施の形態において説明したステップ（図３参照）と同様の処理を行うステップについては同一の符号を付し、その説明を省略する。
【００７２】
ステップＳ３０２で受信信号が第１の通信手段１１０によって適応制御信号生成手段６２１に出力されたら、受信信号に応じた情報処理が適応制御信号生成手段６２１によってなされ、情報処理の結果が第２の通信手段１３０を介して第２の外部の装置２２０と通信するように予め決められている内容のとき、第２の通信手段１３０の通信可能状態に設定するように制御する通信オン信号を生成する（Ｓ７０３）。
【００７３】
ステップＳ７０３で第２の通信手段１３０の通信可能状態に設定するように制御する通信オン信号が生成されたら、通信オン信号が適応制御信号生成手段６２１によって制御手段１２０に出力され（Ｓ７０４）、本発明の第１の実施の形態で説明したステップＳ３０４〜Ｓ３１０で第２の通信手段１３０を通信可能状態に設定する制御が制御手段１２０によってなされる。なお、本発明の第２の実施の形態では、本発明の第１の実施の形態と同様に、通信可能状態は上記の認証をした後の状態をいう。
【００７４】
ステップＳ３１０で第２の通信手段１３０が通信可能状態に設定されたら、このことを内容とする応答が制御手段１２０から適応制御信号生成手段６２１に出力される（Ｓ７１１）。この応答を受けると、適応制御信号生成手段６２１は、ステップＳ７０３での情報処理で得られた情報を第２の通信手段１３０を介して第２の外部の装置２２０に出力できるようになる。
【００７５】
第２の通信手段１３０を介して第２の外部の装置２２０との通信が完了すると、第２の通信手段１３０を通信不能状態に設定するように制御する通信オフ信号が適応制御信号生成手段６２１によって生成される（Ｓ７１２）。
【００７６】
ステップＳ７１２で通信オフ信号が生成されると、通信オフ信号が適応制御信号生成手段６２１によって制御手段１２０に出力され（Ｓ７１３）、本発明の第１の実施の形態で説明したステップＳ４２１〜Ｓ４２４で、第２の通信手段１３０を通信不能状態に設定する制御が制御手段１２０によってなされる。
【００７７】
ステップＳ４２４で第２の通信手段１３０が通信不能状態に設定されると、このことを内容とする応答が制御手段１２０から適応制御信号生成手段６２１に出力される（Ｓ７２５）。これによって適応制御信号生成手段６２１の処理は終了する。
【００７８】
以下では、上記の動作の具体例として、通信端末６００が、（１）起動するアプリケーションソフト（以下、単に「起動アプリ」という。）の識別情報（以下、「起動アプリＩＤ」という。）および起動パラメータからなるトリガ情報を第１の外部の装置２１０から受信し、（２）受信したトリガ情報に基づいて特定される起動アプリを指定された起動パラメータで起動し、（３）第２の外部の装置２２０とデータの送受信を行う、動作を取り上げ、いくつかの例を説明する。
【００７９】
ここで、上記の第１の外部の装置２１０、通信端末６００、および第２の外部の装置２２０としては、例えば、以下に示すものであってもよい。まず、第１の外部の装置２１０としては、ＩＣカード等と非接触に通信を行うリーダライタを有する銀行受付端末でもよい。通信端末６００としては、第１の通信手段１１０として第１の外部の装置（銀行受付端末）２１０のリーダライタと受動的通信を行う通信手段を有し、第２の通信手段１３０として、いわゆるブルートゥース（Ｂｌｕｅｔｏｏｔｈ）という規格で通信（以下、単に「ブルートゥース通信」という。）を行うＢＴ通信手段を有する携帯電話機でもよい。第２の外部の装置２２０としては、上記の銀行における諸サービスを実現するための処理を行う銀行処理端末であって、ＢＴ通信手段を有するものでもよい。
【００８０】
そして、第１の外部の装置（銀行受付端末）２１０は、リーダライタを介して、第１の外部の装置（銀行端末）２１０が設置された銀行で行うサービスを実現するための起動アプリの識別情報（起動アプリＩＤ）、受付番号、および第２の外部の装置（銀行処理端末）２２０の処理端末特定情報を内容とするトリガ情報を通信端末（携帯電話機）６００に出力するものとする（ケース１）。本発明の第２の実施の形態では、通信端末（携帯電話機）６００のユーザ（以下、単に「端末ユーザ」という。）が利用しようとしている銀行を「応対銀行」といい、応対銀行の起動アプリを応対銀行起動アプリというものとする。
【００８１】
なお、通信端末（携帯電話機）６００は、上記の応対銀行起動アプリを含む複数の銀行の起動アプリが予めインストールされているものとする。また、通信端末（携帯電話機）６００は、表示手段を有し、起動アプリに応じたサービスメニューを表示するようになっているのでもよい。そして、適応制御信号生成手段６２１は、上記のトリガ情報を第１の通信手段１１０が受信したとき、トリガ情報に応じた処理を行い、第２の通信手段１３０を通信可能状態に設定する通信状態制御信号を生成するようになっている。ここでは、通信可能状態を、第２の外部の装置２２０の認証を必要としない通信が可能な状態とする。
【００８２】
この場合、まず、通信端末（携帯電話機）６００は、応対銀行で第１の外部の装置（銀行受付端末）２１０と通信して、上記のトリガ情報を受信する（上記の（１））。
【００８３】
通信端末（携帯電話機）６００がトリガ情報を受信すると、その中に上記の応対銀行起動アプリＩＤが含まれるか否かを判断する。この例では、受信したトリガ情報に応対銀行の起動アプリＩＤが含まれるため、適応制御信号生成手段６２１は、応対銀行の起動アプリＩＤによって特定される起動アプリを起動する（その際、サービスメニュー等を上記の表示手段に表示するのでもよい）（上記の（２））。
【００８４】
次に、適応制御信号生成手段６２１は、第２の通信手段１３０を通信可能状態に設定する通信状態制御信号を生成する。ここで、応対銀行には複数の第２の外部の装置（銀行処理端末）２２０が設置されており、上記の処理端末特定情報で特定される第２の外部の装置（銀行処理端末）２２０と通信可能状態になるように第２の通信手段１３０を制御する通信状態制御信号が生成される。適応制御信号生成手段６２１が生成した通信状態制御信号に応答して、制御手段１２０は、第２の通信手段１３０を通信可能状態に設定するように制御する。制御手段１２０の制御により、第２の通信手段１３０が通信可能状態に設定されると、端末ユーザは、例えば、サービスメニューの所定の項目を選択する。端末ユーザが上記の項目を選択すると、第２の通信手段１３０は、上記の受付番号および選択した項目を第２の外部の装置（銀行処理端末）２２０に送信し、第２の外部の装置（銀行処理端末）２２０を介して応対銀行のサービスを受けるための通信が開始される（上記の（３））。
【００８５】
上記のように構成することによって、端末ユーザは、応対銀行の起動アプリを特定して起動する等の煩雑な操作を行うことなく応対銀行のサービスを受けることができるようになる。
【００８６】
また、通信端末６００は、第２の通信手段１３０として、ＢＴ通信手段と、ＩｒＤＡの規格で通信を行うＩｒＤＡ通信手段と、リーダライタとを有する携帯電話機でもよい。この場合、第２の外部の装置２２０は、上記の銀行における諸手続きを行う銀行処理端末であって、ＢＴ通信手段、ＩｒＤＡ通信手段、およびリーダライタのいずれか１以上の通信手段を有するものとする。そして、第１の外部の装置２１０は、ケース１と同様に銀行受付端末であり、リーダライタを介して以下のトリガ情報を通信端末（携帯電話機）６００に出力するものとする（ケース２）。ここで、ケース２のトリガ情報は、ケース１で示したトリガ情報に、第２の通信手段１３０を構成する通信手段のいずれかを特定する情報（以下、単に「第２の通信手段特定情報」という。）を加えたものとする。
【００８７】
なお、通信端末（携帯電話機）６００は、上記の応対銀行起動アプリを含む複数の銀行の起動アプリが予めインストールされているものとする。また、適応制御信号生成手段６２１は、上記のトリガ情報を第１の通信手段１１０が受信したとき、トリガ情報に応じた処理を行い、第２の通信手段特定情報に基づいて特定される第２の通信手段１３０を通信可能状態に設定する通信状態制御信号を生成するようになっている。
【００８８】
この場合、まず、通信端末（携帯電話機）６００は、応対銀行で第１の外部の装置（銀行受付端末）２１０から送信されるケース２のトリガ情報を受信する（上記の（１））。
【００８９】
通信端末（携帯電話機）６００がトリガ情報を受信すると、その中に上記の応対銀行起動アプリＩＤおよび上記の第２の通信手段特定情報が含まれるか否かを判断する。通信端末（携帯電話機）６００が受信したトリガ情報に応対銀行の起動アプリＩＤおよび第２の通信手段特定情報が含まれる場合、適応制御信号生成手段６２１は、応対銀行の起動アプリＩＤによって特定される起動アプリを起動する（その際、サービスメニュー等を上記の表示手段に表示するのでもよい）（上記の（２））。
【００９０】
次に、適応制御信号生成手段６２１は、第２の通信手段特定情報で特定される第２の通信手段１３０を通信可能状態に設定する通信状態制御信号を生成する。ここでは、第２の通信手段特定情報で特定される通信手段は、ＩｒＤＡ通信手段とする。適応制御信号生成手段６２１によって通信状態制御信号が生成されると、制御手段１２０は、第２の通信手段１３０のうちのＩｒＤＡ通信手段を通信可能状態に設定する制御を行う。ここでは、説明の都合上、「通信可能状態」を「通信端末（携帯電話機）６００と第２の外部の装置２２０とでセションが確立した状態」とする。制御手段１２０の制御により、ＩｒＤＡ通信手段が通信可能状態に設定されると、端末ユーザは、例えば、サービスメニューの所定の項目を選択する。端末ユーザが上記の項目を選択すると、第２の通信手段１３０は、ＩｒＤＡ通信手段経由で上記の受付番号および選択した項目を第２の外部の装置（銀行処理端末）２２０に送信し、第２の外部の装置（銀行処理端末）２２０を介して応対銀行のサービスを受けるための通信が開始される（上記の（３））。
【００９１】
上記のように構成することによって、端末ユーザは、応対銀行の通信手段を特定して選択する等の煩雑な操作を行うことなく応対銀行のサービスを受けることができるようになる。
【００９２】
上記のケース１の通信に付加して、第１の外部の装置（銀行受付端末）２１０が通信端末（携帯電話機）６００と通信する際（受付の際）に、端末ユーザが口座から引出し等の決済処理を行う場合などのために、以下のトリガ情報を通信端末（携帯電話機）６００に出力するのでもよい（ケース３）。ここで、ケース３のトリガ情報は、ケース１で示したトリガ情報に、第２の外部の装置（銀行処理端末）２２０が端末ユーザを認証する処理（以下、単に「認証処理」という。）を行う必要があることを通知するメッセージ、および認証方法を特定する情報（以下、「認証方法ＩＤ」という。）を加えたものとする。
【００９３】
この場合は、まず、通信端末（携帯電話機）６００は、応対銀行で第１の外部の装置（銀行受付端末）２１０から送信されるケース３のトリガ情報を受信する（上記の（１））。
【００９４】
通信端末（携帯電話機）６００がトリガ情報を受信すると、その中に上記の応対銀行起動アプリＩＤが含まれるか否かを判断する。通信端末（携帯電話機）６００が受信したトリガ情報に応対銀行起動アプリＩＤが含まれる場合、適応制御信号生成手段６２１は、応対銀行起動アプリを起動する（その際、サービスメニュー等を上記の表示手段に表示するのでもよい）（上記の（２））。その後、端末ユーザは、通信端末（携帯電話機）６００に引き出しを行う指示（以下、単に「引き出し指示」という。）を入力するものとする（指示は、例えばサービスメニューを介して行うのでもよい。）。
【００９５】
適応制御信号生成手段６２１は、端末ユーザによって入力された引き出し指示に応答して以下の処理を行う。まず、第２の通信手段１３０を通信可能状態に設定する通信状態制御信号、および上記の認証処理を指示する信号（以下、単に「認証処理指示信号」という。）を生成する。適応制御信号生成手段６２１が生成した通信状態制御信号に応答して、制御手段１２０は、第２の通信手段１３０を通信可能状態に設定するように制御する。次に、上記の受付番号および端末ユーザが入力した引き出し指示を第２の外部の装置（銀行処理端末）２２０に送信する等の所定の処理が行われる。そして、口座から引き出しを行う処理が開始されようとするとき、引き出しの処理の開始に先立って、適応制御信号生成手段６２１が生成した認証処理指示信号に応答して、制御手段１２０は、上記の認証処理を行うために第２の通信手段１３０を介して第２の外部の装置（銀行処理端末）２２０と所定のデータの送受信を行う（上記の（３））。ここで、認証は、例えばチャレンジ＆レスポンス等の認証方法で行うのでもよい。第２の外部の装置（銀行処理端末）２２０によって端末ユーザが認証されたら、引き出しの処理を行うことが可能となる。そして、引出しが行われた場合、引き出された金額の電子マネーが通信端末（携帯電話機）６００に保持されるのでもよい。
【００９６】
以上説明したように、本発明の第２の実施の形態に係る通信端末は、外部の装置から受信する信号に応じて情報処理を行い、情報処理の結果に応じて第２の通信手段の通信状態を制御する通信状態制御信号を生成する適応制御信号生成手段を設けたため、情報処理後に通信が必要になる場合に電源がオン／オフされる等により能動的通信の機能を作動または停止させることが可能となり、操作性を向上させると共に電力を効率的に利用させることができる。その結果、本発明の第１の実施の形態と同様に、携帯通信端末が内蔵する電池の寿命を延長させることができ、また、通信端末のユーザがサービスを利用したいと思ったときに、通信端末を上記の外部の装置にかざす等の平易な操作を行うだけでサービス利用のための通信ができることになる。
【００９７】
（第３の実施の形態）
図８は、本発明の第３の実施の形態に係る通信端末のブロック構成を示す図である。図８において、本発明の第３の実施の形態に係る通信端末８００は、本発明の第１の実施の形態に係る通信端末１００を構成する第２の通信手段１３０がブルートゥース通信を行う第１のブルートゥース通信手段８３０（図８に、「第１のＢＴ通信手段８３０」と示す。）として構成されるものである。
【００９８】
以下では、第１のブルートゥース通信手段８３０と通信する第２の外部の装置２２０は、いわゆるピコネット（Ｐｉｃｏｎｅｔ）上でブルートゥース通信を行うための第２のブルートゥース通信手段２２１を有する装置（ブルートゥース機器ともいう。）であり、ピコネット上でいわゆるマスターとして働く装置であってもスレーブとして働く装置でもよいものとする。
【００９９】
以下、本発明の第３の実施の形態に係る通信端末８００の動作について説明する。図９は、本発明の第３の実施の形態に係る通信端末８００の動作を説明するためのシーケンス図である。以下では、第１のブルートゥース通信手段８３０は、ピコネット上の特定の第２の外部の装置２２０と通信するものとし、第２の外部の装置２２０を第１のブルートゥース通信手段８３０が認証する構成の場合を例に説明する。また、図９には、本発明の第１の実施の形態において説明したＳ３０１〜Ｓ３０３のステップが図示されていないが、含まれているものとする。
【０１００】
ステップＳ３０３での判定結果が、第１のブルートゥース通信手段８３０を通信可能状態に設定するように制御すべき内容である場合は、第１のブルートゥース通信手段８３０に電力を供給するようにオン／オフ手段１２５が制御されると共に、ブルートゥース通信のためのセション確立等のために必要な機能が働くことができるような状態に設定される（Ｓ９０４）。以下では、ステップＳ９０４での処理を起動処理という。起動処理によって、第１のブルートゥース通信手段８３０は、ブルートゥースの規格で通信を開始できる状態に設定される。
【０１０１】
ステップＳ９０４で起動処理が完了したら、第１のブルートゥース通信手段８３０に対して第２の外部の装置２２０とのブルートゥース通信を確立させる命令（以下、単に「ブルートゥース通信確立命令」という。）が制御手段１２０によって出力される（Ｓ９０５）。
【０１０２】
ステップＳ９０５でブルートゥース通信確立命令が第１のブルートゥース通信手段８３０に出力されると、第２の外部の装置２２０とのブルートゥース通信を確立するための通信が第１のブルートゥース通信手段８３０によってなされる（Ｓ９０６）。ブルートゥース通信確立のための通信は、言うまでもなく第１のブルートゥース通信手段８３０と第２の外部の装置２２０との間の複数ステップにわたる処理であるが、説明の都合上、１つのステップで簡略して述べると共に、これらは公知であり、その説明を省略する。
【０１０３】
ステップＳ９０６で第１のブルートゥース通信手段８３０と第２の外部の装置２２０とのブルートゥース通信が確立されたら、ブルートゥース通信が確立されたことを内容とする応答が第１のブルートゥース通信手段８３０によって制御手段１２０に出力される（Ｓ９０７）。
【０１０４】
以下、Ｓ９０８〜Ｓ９１０のステップで、本発明の第１の実施の形態のＳ３０８〜Ｓ３１０のステップでの処理と同様に第２の外部の装置２２０を認証する処理が行われる。以上は、第１のブルートゥース通信手段８３０を通信可能状態に設定するための動作であるが、通信不能状態に設定する動作についても通信プロトコルは異なるが、本発明の第１の実施の形態において説明したものと同様にできる。
【０１０５】
本発明の第３の実施の形態は、例えば、展示会等で会場に設けられた受付端末を第１の外部の装置２１０とし、会場内でブルートゥース通信する端末を第２の外部の装置２２０とする通信環境下で、第１の外部の装置２１０が通信可能状態設定信号等の所定の信号を通信端末８００に送信し、通信端末８００の制御手段１２０が第１のブルートゥース通信手段８３０の通信状態を制御する場合に適用できる。また、会場の出口に設けられた端末を第１の外部の装置２１０とし、第１の外部の装置２１０が通信不能状態設定信号等の所定の信号を通信端末８００に送信する場合にも同様に適用できる。
【０１０６】
以上説明したように、本発明の第３の実施の形態に係る通信端末は、外部の装置から受信した信号に応じて第１のブルートゥース通信手段を通信可能状態および通信不能状態のいずれかに設定するよう制御する制御手段を設けたため、受信した信号に応じて能動的通信の機能を作動または停止させることが可能となると共に、複数の外部の装置と通信が可能となり、操作性を向上させると共に電力を効率的に利用させることができる。その結果、本発明の第１の実施の形態と同様に、携帯通信端末が内蔵する電池の寿命を延長させることができ、また、通信端末のユーザがサービスを利用したいと思ったときに、通信端末を上記の外部の装置にかざす等の平易な操作を行うだけでサービス利用のための通信ができることになる。
【０１０７】
（第４の実施の形態）
図１０は、本発明の第４の実施の形態に係る通信機器と通信端末とが通信可能に接続された状態のブロック構成を示す図である。ここで、本発明の第４の実施の形態に係る通信機器１０００および通信端末１１００の構成部のうち、本発明の第１の実施の形態に係る通信端末１００の構成部と同様の処理を行うものについては同一の符号を付し、その説明を省略する。
【０１０８】
図１０において、本発明の第４の実施の形態に係る通信機器１０００は、第１の外部の装置２１０と通信する第１の通信手段１０１０、第１の通信手段１０１０が受信した信号を処理して所定の判断を行う判断手段１０２０、および通信端末１１００と通信するための第１の通信インタフェース１０３０（図１０に、「第１のＩ／Ｆ」として示す。）を含むように構成される。ここで、第１の通信手段１０１０が受動的通信を行う場合、判断手段１０２０および第１の通信インタフェース１０３０は、第１の通信手段１０１０が受動的通信用電力変換処理を行って得られた電力の供給を受けて動作するのでもよい。
【０１０９】
又、本発明の第４の実施の形態に係る通信端末１１００は、通信機器１０００の第１の通信インタフェース１０３０と通信する第２の通信インタフェース１１１０（図１０に、「第２のＩ／Ｆ」として示す。）、第２の外部の装置２２０と通信する第２の通信手段１３０、および第１の通信インタフェース１０３０から出力された信号に応じて第２の通信手段１３０を制御する制御手段１２０を含むように構成される。
【０１１０】
判断手段１０２０は、詳細には、第１の通信手段１０１０が受信した信号を処理し、その処理の結果に基づいて第２の通信手段１３０の通信状態を制御することを要するか否かを判断し（以下、「受信信号の判断処理」という。）、判断の結果が通信状態の制御を要するものである場合、通信状態を制御するための信号を第１の通信インタフェース１０３０を介して通信端末１１００に出力するようになっている。ここで、第１の通信手段１０１０が受信した信号に、本発明の第１の実施の形態の通信可能状態設定信号や通信不能状態設定信号等の通信状態を制御する信号が含まれている場合は、判断手段１０２０は、これらと予め通信状態を制御する信号として登録された信号とを比較して判断する処理を行うのでもよい。
【０１１１】
判断の結果、第２の通信手段１３０を通信可能状態に設定するよう制御する必要があるとされた場合、判断手段１０２０は、第２の通信手段１３０を通信可能状態に設定する通信可能設定信号を生成して第１の通信インタフェース１０３０を介して出力し、第２の通信手段１３０を通信不能状態に設定するよう制御する必要があるとされた場合、判断手段１０２０は、第２の通信手段１３０を通信不能状態に設定する通信不能設定信号を生成して第１の通信インタフェース１０３０を介して出力するようになっている。
【０１１２】
ここで、本発明の第４の実施の形態に係る通信機器１０００は、例えば、ＩＣカード等のように外部の装置と通信する手段１０１０および所定の情報処理を行う手段１０２０を有すると共に、通信端末１１００に着脱可能に取り付けられ、通信端末１１００との間で情報の送受信ができるように構成されるのでもよい。通信機器１０００は、単独で、第１の外部の装置２１０と通信して通信機器１０００が所有するデータを第１の外部の装置２１０に送信する等の機能を有するのでもよい。
【０１１３】
図１１は、本発明の第４の実施の形態に係る通信機器１０００および通信端末１１００の具体的構成の一例を示す図である。ここで、通信端末１１００は、例えば携帯電話機等でもよく、通信機器１０００を着脱するためのスロットが設けられ、またはチップ埋め込み等により通信機器１０００が固定されているのでもよい。通信機器１０００は、第１の通信手段１０１０として外部のリーダライタと非接触で通信を行うＲＦ処理手段１０１１を有する非接触型ＩＣ等の機器であってもよい。
【０１１４】
図１１において、第１の通信手段１０１０は、本発明の第１の実施の形態において説明した高周波処理手段と同様の機能を有する高周波処理手段１０１０として構成され、判断手段１０２０は、データ処理や制御を行う通信機器ＣＰＵ１０２１、通信機器ＣＰＵ１０２１で用いるプログラムやデータ等を記憶する通信機器ＲＡＭ１０２２、並びに、ＯＳやその他のプログラムおよび制御用のデータ等を記憶する不揮発メモリ１０２３を含むように構成されるのでもよい。ここで、不揮発メモリ１０２３は、書換可能な不揮発メモリでもよい。
【０１１５】
なお、判断手段１０２０は、上記の処理以外に定期券としての機能を実現する処理や決済処理等の情報処理も行い、通信機器１０００が単独で動作できるように構成されるのでもよい。これらの機能を実現するためのプログラムやデータは、不揮発メモリ１０２３に記憶され、処理の際に通信機器ＣＰＵ１０２１によって不揮発メモリ１０２３から読み出され、通信機器ＲＡＭ１０２２に記憶されるようになっているのでもよい。通信機器１０００が単独で動作する場合、判断手段１０２０が処理して得られた情報は、第１の通信手段１０１０を介して第１の外部の装置２１０に送信されるように構成されるのでもよい。
【０１１６】
第１の通信インタフェース１０３０および第２の通信インタフェース１１１０等の通信インタフェースについては、これらの構成およびこれらの間で行われる通信の動作については公知であり、その説明を省略する。
【０１１７】
以下、本発明の第４の実施の形態に係る通信機器１０００と通信端末１１００の動作について説明する。図１２は、本発明の第４の実施の形態に係る通信機器１０００と通信端末１１００の動作を説明するためのシーケンス図である。
【０１１８】
まず、第１の外部の装置２１０によって送信された信号は、第１の通信手段１０１０によって受信される（Ｓ１２０１）。ステップＳ１２０１で受信された信号は、判断手段１０２０に出力され（Ｓ１２０２）、ステップＳ１２０２で第１の通信手段１０１０から判断手段１０２０に出力された信号に基づいて受信信号の判断処理が判断手段１０２０によってなされる（Ｓ１２０３）。
【０１１９】
ステップＳ１２０３での受信信号の判断処理の結果が第２の通信手段１３０を通信可能状態に設定すべき内容である場合、上記の通信可能設定信号が生成され（Ｓ１２０４）、ステップＳ１２０４で生成された通信可能設定信号が第１の通信インタフェース１０３０に出力され（Ｓ１２０５）、第１の通信インタフェース１０３０および第２の通信インタフェース１１１０を介して制御手段１２０に中継される（Ｓ１２０６）。
【０１２０】
ステップＳ１２０６で通信可能設定信号が制御手段１２０に中継されると、本発明の第１の実施の形態のＳ３０４〜Ｓ３１０の各ステップでの処理がなされ、第２の通信手段１３０が通信可能状態に設定されるように制御手段１２０によって制御される。
【０１２１】
一方、ステップＳ１２０３での受信信号の判断処理の結果が第２の通信手段１３０を通信不能状態に設定すべき内容である場合については、図示しなかったが、この場合は、上記の通信不能設定信号が生成され、第１の通信インタフェース１０３０および第２の通信インタフェース１１１０を介して制御手段１２０に中継され、制御手段１２０によって第２の通信手段１３０が通信不能状態に設定されるように制御される。
【０１２２】
以上説明したように、本発明の第４の実施の形態に係る通信機器および通信端末は、通信機器と通信可能に接続される通信端末の第２の通信手段を、通信機器が外部の装置から受信する信号に応じて通信可能状態に設定するよう制御するため、通信装置同士を組み合わせた場合でも受信した信号に応じて能動的通信の機能を作動させること、すなわち、必要なときに電源の供給がなされる等により能動的通信の機能を作動させることができ、操作性を向上させると共に電力を効率的に利用させることができる。その結果、本発明の第１の実施の形態と同様に、通信端末または通信機器が内蔵する電池の寿命を延長させることができ、また、ユーザがサービスを利用したいと思ったときに、通信機器を接続した通信端末を上記の外部の装置にかざす等の平易な操作を行うだけでサービス利用のための通信ができることになる。
【０１２３】
また、通信機器と通信端末とを組み合わせることによって互いの機能を拡張した動作が可能となる。
【０１２４】
（第５の実施の形態）
図１３は、本発明の第５の実施の形態に係る通信機器と通信端末とが通信可能に接続された状態のブロック構成を示す図である。図１３において、本発明の第５の実施の形態に係る通信機器１３００は、第１の外部の装置２１０と通信する第１の通信手段１０１０、第１の通信手段１０１０が受信した信号を通信端末１４００に出力する第１の通信インタフェース１３２０（図１３に、「第１のＩ／Ｆ」として示す。）、および第１の通信インタフェース１３２０を介して入力された信号を第２の外部の装置２２０に送信する第２の通信手段１３３０を含むように構成される。
【０１２５】
ここで、本発明の第５の実施の形態の第１の通信手段１０１０は、本発明の第４の実施の形態の第１の通信手段１０１０と同様の機能を有するものとする。また、第２の通信手段１３３０は、本発明の第１の実施の形態の第２の通信手段１３０と同様に通信可能状態と通信不能状態とを有し、通信端末１４００から入力される制御信号に応じて通信状態が設定されるように制御されるものとする。
【０１２６】
また、本発明の第５の実施の形態に係る通信端末１４００は、第１の通信インタフェース１３２０と通信する第２の通信インタフェース１４１０、および第２の通信インタフェース１４１０を介して入力された信号に基づいて、第２の通信手段１３３０の通信状態を設定するよう制御する制御信号を生成し、第２の通信インタフェース１４１０を介して第２の通信手段１３０に出力する制御信号生成手段１４２０を含むように構成される。
【０１２７】
ここで、制御信号生成手段１４２０が生成する制御信号には、第２の通信手段１３３０を通信可能状態に設定するように制御する通信可能設定信号、および第２の通信手段１３３０を通信不能状態に設定するように制御する通信可能設定信号が含まれるものとする。また、制御信号生成手段１４２０は、第２の通信インタフェース１４１０に信号を出力しないのでもよいものとする。以下では、上記の制御信号を生成するか否か、又はいかなる制御信号を生成するかの判定処理を受信信号の判定処理という。
【０１２８】
ここで、第１の通信手段１０１０が受動的通信を行う手段である場合、第１の通信インタフェース１３２０は、以下のように構成されるものとする。まず、第１の通信手段１０１０が電波を受信したときは、第１の通信手段１０１０が受動的通信用電力変換処理して得られた電力が供給されて第１の通信インタフェース１３２０等が動作するものとする。次に、制御信号生成手段１４２０が第２の通信インタフェース１４１０を介して第１の通信インタフェース１３２０に上記の制御信号等を出力する場合は、第２の通信インタフェース１４１０を介して第１の通信インタフェース１３２０及び第２の通信手段１３３０に電力が供給され、第１の通信インタフェース１３２０及び第２の通信手段１３３０が動作するものとする。
【０１２９】
図１４は、本発明の第５の実施の形態に係る通信機器１３００および通信端末１４００の具体的構成の一例を示す図である。ここで、通信端末１４００は、例えば携帯電話機等でもよく、通信機器１３００を着脱するためのスロットが設けられ、またはチップ埋め込み等により通信機器１３００が固定されているのでもよい。通信機器１３００は、第１の通信手段１０１０として外部のリーダライタと非接触で通信を行うＲＦ処理手段１０１１を有し、第２の通信手段１３３０としてリーダライタ機能を有する非接触通信手段を有する非接触型ＩＣ等の機器であってもよい。
【０１３０】
図１４において、通信機器１３００は、第１の外部の装置２１０から信号を受信したとき、単独でも所定の情報処理を行うことができるように、本発明の第４の実施の形態に示す物と同様の、データ処理や制御を行う通信機器ＣＰＵ１０２１、通信機器ＣＰＵ１０２１で用いるプログラムやデータ等を記憶する通信機器ＲＡＭ１０２２、並びに、ＯＳやその他のプログラムおよび制御用のデータ等を記憶する不揮発メモリ１０２３を含むように構成されるのでもよい。ここで、不揮発メモリ１０２３は、書換可能な不揮発メモリでもよい。
【０１３１】
以下、本発明の第５の実施の形態に係る通信機器１３００と通信端末１４００の動作について説明する。図１５は、本発明の第５の実施の形態に係る通信機器１３００と通信端末１４００の動作を説明するためのシーケンス図である。
【０１３２】
まず、第１の外部の装置２１０によって送信された信号は、第１の通信手段１０１０によって受信される（Ｓ１５０１）。ステップＳ１５０１で受信された信号は、第１の通信インタフェース１３２０に出力され（Ｓ１５０２）、第１の通信インタフェース１３２０及び第２の通信インタフェース１４１０によって中継されて制御信号生成手段１４２０に出力される（Ｓ１５０３、Ｓ１５０４）。ステップＳ１５０４で受信信号が制御信号生成手段１４２０に出力されると、上記の受信信号の判定処理が制御信号生成手段１４２０によって行われる（Ｓ１５０５）。
【０１３３】
ステップＳ１５０５での受信信号の判定処理の結果が第２の通信手段１３３０を通信可能状態に設定すべき内容である場合、上記の通信可能設定信号が制御信号生成手段１４２０によって生成される（Ｓ１５０６）。ステップＳ１５０６で生成された通信可能設定信号は、第２の通信インタフェース１４１０に出力される（Ｓ１５０７）。ここで、第１の通信手段１０１０が受動的通信を行う場合、通信可能設定信号が生成されると第１の通信インタフェース１３２０及び第２の通信手段１３３０が第２の通信インタフェース１４１０から電力の供給を受け、動作可能となるものとする。
【０１３４】
ステップＳ１５０７で通信可能設定信号が第２の通信インタフェース１４１０に出力されると、第１の通信インタフェース１３２０を介して第２の通信手段１３３０に通信可能設定信号が中継され（Ｓ１５０８、Ｓ１５０９）、入力された通信可能設定信号に応じて第２の通信手段１３３０と制御信号生成手段１４２０とを通信可能とする起動処理がなされる（Ｓ１５１０）。
【０１３５】
ステップＳ１５１０で起動処理がなされたら、第２の通信手段１３３０と第２の外部の装置２２０とのセションを確立する通信がなされる（Ｓ１５１１）。ステップＳ１５１１で第２の通信手段１３３０と第２の外部の装置２２０とのセションが確立したら、そのことを内容とする応答が第２の通信手段１３３０から第１の通信インタフェース１３２０に出力され（Ｓ１５１２）、第１の通信インタフェース１３２０及び第２の通信インタフェース１４１０を中継して（Ｓ１５１３）制御信号生成手段１４２０に出力される（Ｓ１５１４）。
【０１３６】
次に、ステップＳ１５０５での受信信号の判定処理の結果が第２の通信手段１３３０を通信不能状態に設定すべき内容である場合の動作について、図１６を用いて説明する。この場合、上記の通信不能設定信号が制御信号生成手段１４２０によって生成される（Ｓ１６２１）。ステップＳ１６２１で生成された通信不能設定信号は、第２の通信インタフェース１４１０に出力される（Ｓ１６２２）。
【０１３７】
ステップＳ１６２２で通信不能設定信号が第２の通信インタフェース１４１０に出力されると、第１の通信インタフェース１３２０を介して第２の通信手段１３３０に通信不能設定信号が中継される（Ｓ１６２３、Ｓ１６２４）。通信不能設定信号が第２の通信手段１３３０に中継されると、第２の通信手段１３３０と第２の外部の装置２２０とのセションを終了する通信がなされる（Ｓ１６２５）。
【０１３８】
ステップＳ１６２５で第２の通信手段１３３０と第２の外部の装置２２０とのセションが終了したら、そのことを内容とする応答が第２の通信手段１３３０から第１の通信インタフェース１３２０に出力され（Ｓ１６２６）、第１の通信インタフェース１３２０及び第２の通信インタフェース１４１０を中継して制御信号生成手段１４２０に出力される（Ｓ１６２７、Ｓ１６２８）。ステップＳ１６２８で応答を制御信号生成手段１４２０が受け取ると、第２の通信手段１３３０と制御信号生成手段１４２０との通信を終了する停止処理がなされる（Ｓ１６２９）。
【０１３９】
上記では、第２の通信手段１３３０が第２の外部の装置２２０を通信対象装置として認証する動作を省略したが、本発明の第１の実施の形態において説明した動作と同様に行うことができる。
【０１４０】
以上説明したように、本発明の第５の実施の形態に係る通信機器および通信端末は、通信端末と通信可能に接続される通信機器の第２の通信手段を、通信機器が外部の装置から受信する信号に応じて通信可能状態に設定するよう制御するため、通信装置同士を組み合わせた場合でも受信した信号に応じて能動的通信の機能を作動させること、すなわち、必要なときに電源の供給がなされる等により能動的通信の機能を作動させることができ、操作性を向上させると共に電力を効率的に利用させることができる。その結果、本発明の第１の実施の形態と同様に、通信端末または通信機器が内蔵する電池の寿命を延長させることができ、また、ユーザがサービスを利用したいと思ったときに、通信機器を接続した通信端末を上記の外部の装置にかざす等の平易な操作を行うだけでサービス利用のための通信ができることになる。
【０１４１】
また、通信機器と通信端末とを組み合わせることによって互いの機能を拡張した動作が可能となる。
【産業上の利用可能性】
【０１４２】
本発明にかかる通信端末、通信機器、および通信制御プログラムは、受信した信号に応じて能動的通信の機能を作動または停止させることを可能とすることによって、操作性を向上させると共に電力を効率的に利用させることができる効果を有し、２つ以上の通信手段を有する通信端末および通信機器、並びにこれらの通信端末および通信機器を制御する通信制御プログラム等として有用である。
【図面の簡単な説明】
【０１４３】
【図１】本発明の第１の実施の形態に係る通信端末のブロック構成を示す図
【図２】本発明の第１の実施の形態に係る通信端末の具体的構成の一例を示すブロック図
【図３】本発明の第１の実施の形態に係る通信端末が第２の通信手段を通信可能状態に設定する動作の一例を説明するためのシーケンス図
【図４】本発明の第１の実施の形態に係る通信端末が第２の通信手段を通信不能状態に設定する動作の一例を説明するためのシーケンス図
【図５】本発明の第１の実施の形態に係る通信端末が第２の通信手段を通信可能状態に設定する動作の他の一例を説明するためのシーケンス図
【図６】本発明の第２の実施の形態に係る通信端末のブロック構成を示す図
【図７】本発明の第２の実施の形態に係る通信端末の動作を説明するためのシーケンス図
【図８】本発明の第３の実施の形態に係る通信端末のブロック構成を示す図
【図９】本発明の第３の実施の形態に係る通信端末の動作を説明するためのシーケンス図
【図１０】本発明の第４の実施の形態に係る通信端末のブロック構成を示す図
【図１１】本発明の第４の実施の形態に係る通信端末の具体的構成の一例を示すブロック図
【図１２】本発明の第４の実施の形態に係る通信端末の動作を説明するためのシーケンス図
【図１３】本発明の第５の実施の形態に係る通信端末のブロック構成を示す図
【図１４】本発明の第５の実施の形態に係る通信端末の具体的構成の一例を示すブロック図
【図１５】本発明の第５の実施の形態に係る通信端末が第２の通信手段を通信可能状態に設定する動作の一例を説明するためのシーケンス図
【図１６】本発明の第５の実施の形態に係る通信端末が第２の通信手段を通信不能状態に設定する動作の一例を説明するためのシーケンス図
【符号の説明】
【０１４４】
１００、６００、１１００、１４００  通信端末
１０１  操作部
１０２  表示部
１１０、１０１０  第１の通信手段
１１１、１０１１  高周波処理手段
１２０  制御手段
１２１  ＣＰＵ
１２２  ＲＯＭ
１２３  ＲＡＭ
１２４  ＥＥＰＲＯＭ
１２５  オン／オフ手段
１３０、１３３０  第２の通信手段
２１０  第１の外部の装置
２１１  リーダライタ
２２０  第２の外部の装置
２２１  第２のブルートゥース通信手段
６２１  適応制御信号生成手段
８３０  第１のブルートゥース通信手段
１０００、１３００  通信機器
１０２０  判断手段
１０２１  通信機器ＣＰＵ
１０２２  通信機器ＲＡＭ
１０２３  不揮発メモリ
１０３０、１３２０  第１の通信インタフェース
１１１０、１４１０  第２の通信インタフェース
１４２０  制御信号生成手段
【図１】
2005057538.tif 000003
【図２】
2005057538.tif 000004
【図３】
2005057538.tif 000005
【図４】
2005057538.tif 000006
【図５】
2005057538.tif 000007
【図６】
2005057538.tif 000008
【図７】
2005057538.tif 000009
【図８】
2005057538.tif 000010
【図９】
2005057538.tif 000011
【図１０】
2005057538.tif 000012
【図１１】
2005057538.tif 000013
【図１２】
2005057538.tif 000014
【図１３】
2005057538.tif 000015
【図１４】
2005057538.tif 000016
【図１５】
2005057538.tif 000017
【図１６】
2005057538.tif 000018